(57)【特許請求の範囲】
【請求項１】
鋸柄２の先端に、鋸刃３を保持するための背金４を回動自在の状態にして取り付け、かつ、固定具５の操作により、柄２に対する背金４の角度を任意の位置で固定し得るように構成した鋸柄において、背金４を保持する支持部６の背側の中間部に、揺動自在の状態で係止されるとともに、常時は支持部６の背側に向けてバネ付勢された構成の突っ張り具７を配置させ、鋸刃３の通常使用適性時にあっては、突っ張り具７の前面部が背金４の背部に形成した凹部８に当接するようにする一方、突っ張り具７の前面部を上方側に引き上ることによって、背金４を上方側に回動させ得るように構成したことを特徴とする鋸柄。
【発明の詳細な説明】
【０００１】
【産業上の利用分野】
この発明は、折り込み式鋸の鋸柄の改良に関するものである。
【０００２】
【従来の技術】
従来一般に使用されている折れ込み式の鋸にあっては、柄の先端付近と鋸刃の基部とに、それぞれ支点軸を差入れる孔を形成し、柄に対する鋸刃の取り付けに際しては、両孔内に支点軸を差入れることによって回動自在の状態として取り付け、使用時にあっては、柄の背部前方に取り付けた掛け止め具を、鋸刃の背部に形成した凹部に掛け合わせたり、あるいは、側部に取り付けた螺子の締め付け操作により、鋸刃の回動状態を固定し得るように形成した構成となっているのである。
【０００３】
【発明が解決しようとする課題】
この種の折れ込み式の鋸にあって、柄と鋸刃との固定を柄側に取り付けた掛け止め具によって行う構成とした場合、柄と鋸刃との固定角度が一定になってしまい、柄に対する鋸刃の角度を任意に設定して使用するというようなことは出来ないにもかかわらず、使用に際しては、一々掛け止め具の掛け止め操作を行わなければならないという不便さがあるし、また、側部に取り付けた螺子の締め付け操作により、鋸刃を固定し得るよう構成したものにあっては、同じような状態で作業を行なう場合にあっても、その都度、角度の設定を行なった後で、螺子の締め付け操作を行わなければならないという不便さがあるのである。
【０００４】
【課題を解決するための手段】
この発明は、柄の先端に、鋸刃を保持するための背金を回動自在の状態として取り付け、かつ、固定具の操作により、柄に対する背金の角度を任意の位置で固定し得るように構成した鋸柄において、背金支持部の背側に、下方側方向に付勢された突っ張り具を配置させ、通常の使用状態に適した角度になった場合には、該突っ張り具の先端部が、背金に形成した凹部に当接した状態となるようにすることによって、瞬時に適性角度を選択し得るようにする一方、それ以外の角度で使用した方が作業し易いような場合には、突っ張り具の先端部を引き上げることによって、当接状態を解除し、任意の角度に設定し得るようにしようとするものである。
【０００５】
図面にもとづいて、この発明の一実施例を説明すると、鋸柄１は、図１乃至図５に示すとおり、柄２と鋸刃３を挟持し得る背金４とからなり、柄２に対して背金４を回動自在の状態で取り付けるとともに、支点軸１７の先端に揺動自在の状態で取り付けた押圧具５の揺動操作により、支持部６に形成した凹凸部１２と背金に形成した凹凸部１４とを係合固定させ得る構成となっており、しかも、背金４を保持する支持部６の背側の中間部に、揺動自在の状態で係止されるとともに、常時は支持部６の背側にバネ付勢された構成の突っ張り具７を配置させ、鋸刃３の通常使用適性時にあっては、突っ張り具７の前面部が背金４の背部に形成した凹部８に当接した状態となるように形成した構成となっている
【０００６】
すわなち、柄２は、図１乃至図３に示すとおり、その先端部に、二枚の板体６ａ・６ｂをお互いに向かい合わせた構成の背金支持部６が形成せられるとともに、上方部には、突っ張り具７を取り付けるための孔９・１０が前後位置を異ならしめた形で形成されており、バネ線材で形成された突っ張り具７の一方屈曲部７ａを後方側の孔９に差し入れるとともに、他方側の屈曲部７ｂを前方の孔１０に差し入れることによって突っ張り具７が取り付けられた構成となっており、また、支持部６の中心部には孔１１が形成されており、該孔２２の周辺部には、プレス加工を施すことにより、凹凸部１２が形成された構成となっているのである。
【０００７】
背金４は、図２、並びに図３に示すとおり、金属板を中心部より折り曲げ屈曲させ、その間隙部に鋸刃３を差し入れることによって鋸刃３の基部を狭持させ得る構成となっており、その折り曲げ部の基端には、突っ張り具７の先端部を当接させ得る形の切込み部８が形成せられており、また、後方中心部には、孔１３が形成されるとともに、該孔１３の周辺部にはプレス加工を施すことにより凹凸部１４が形成せられた構成となっているのである。
【０００８】
鋸柄１を構成する柄２並びに背金４は、上記のような構成であるが、柄２に対する背金４の取り付けは、図２に示すとおり、柄２に形成した支持部６の間隙部に背金４の基部を差し入れるとともに、支持部６に形成した孔１１と、背金４に形成した孔１３とを一致させた状態とした後、孔１１、並びに孔１３内に、頭部１５、並びに角軸部１６（角軸部１６は、板体６ａに形成せられた角孔部に装着される）を有する支点軸１７を差し入れ、該支点軸１７の先端側に、皿バネ１９を配置させ、さらにその先端側に、押圧具５を揺動自在の状態として取り付けることによって行われるのである。すなわち、押圧具５は、図２に示すとおり、縁部にピン２０を差し入れえる透通孔２１を有するとともに、透通孔２１を中心として裏面側の一部が突出した形となる膨出部２２が形成されており、また、縁部の中央部には、支点軸１７の先端部を差し入れ得る巾の切欠部が形成せられた構成となっており、支点軸１７の先端部を支持部６の側面部より突出させた状態とした後、皿状バネ１９を支持部６の側面部に沿わせ、押圧具５の上方より差し入れたピン２０を、支点軸１７に形成した孔１８内に差し入れ、これによって、押圧具５が支点軸１７に対して揺動自在の状態となるようにして取り付けられているのである。従って、押圧具５を手前側に揺動させた場合、押圧具５に形成した突起２２が皿状バネ１９を介して、支持部６の側面部を強圧した状態となり、支持部６の側部に形成した凹凸部１２と、背金４の側部に形成した凹凸部１４とが係止固定状態になって、柄２と背金４との固定が図られる一方、押圧具５を背金４の先端側に向けて引き起こした場合、押圧具５による押圧状態が解除されると同時に、支持部６に形成した凹凸部１２と背金４に形成した凹凸部１４との係合状態も解除せられ、柄２に対して背金４は回動自在の状態となるのである。
【０００９】
【発明の効果】
この発明にかかる鋸柄は、上記のような構成であって、通常の使用時にあっては、最も適した角度の選択を、単なる鋸刃の引き出し操作のみによって行えると同時に、通常の使用角度以外で作業を行った方が作業し易いような場合には、それぞれの場合に適した角度を任意に選択して、切断作業をなし得るという便利さがあるのである。
【図面の簡単な説明】
【図１】鋸柄に鋸刃を装着した状態を示す正面図である。
【図２】柄、並びに背金の構成を示す分解斜視図である。
【図３】柄と背金の係合状態を示す斜視図である。
【図４】鋸刃の角度設定状態を示す正面図である。
【図５】鋸刃の角度設定状態を示す正面図である。
【符号の説明】
１  鋸柄
２  柄
３  鋸刃
４  背金
５  固定具
６  支持部
７  突っ張り具
８  凹部
【図１】
0003564620.tif 000002
【図２】
0003564620.tif 000003
【図３】
0003564620.tif 000004
【図４】
0003564620.tif 000005
【図５】
0003564620.tif 000006